(57)【要約】【課題】本発明は、歯科治療装置において、ナーステーブルのインスツルメントホルダーの清掃作業等の効率を向上させ、また、ナーステーブルの清掃時に取り外したインスツルメントの落下等の事故発生を防止するナーステーブルを提供する。【解決手段】歯科治療装置におけるナーステーブルの下面にインスツルメントのチューブ保持具を設けるとともに、ナーステーブルに着脱可能なホルダーカバーを備える。【選択図】図１
2014140540.tif 000002
【特許請求の範囲】
【請求項１】
歯科治療装置におけるナーステーブルであって、ナーステーブル（２）の下面にインスツルメントのチューブ保持具（１４）を設けたことを特徴とする歯科治療装置におけるナーステーブル。
【請求項２】
前記ナーステーブル（２）に、カバー（１０’）の先端にインスツルメント保持用窪み部（１１）を有するインスツルメントホルダー（１０）が着脱可能に設けてなることを特徴とする請求項１に記載の歯科治療装置におけるナーステーブル。
【請求項３】
ユニット本体（１）の下部に設けられた空間部（１ａ）に水平方向に回動自在に取付られた回動アーム（３）と、該回動アーム（３）に立設して取り付けられたアーム（６）と、該アーム（６）の先端に設けられたナーステーブル（２）とからなることを特徴とする請求項１又は２に記載の歯科治療装置におけるナーステーブル。
【請求項４】
前記アーム（６）が関節部（５）により回動可能に回動アーム（３）に取り付けられていることを特徴とする請求項１〜３のいずれか１項に記載された歯科治療装置におけるナーステーブル。
【発明の詳細な説明】
【技術分野】
【０００１】
本発明は、歯科治療装置におけるナーステーブルに関する。
【背景技術】
【０００２】
従来、歯科治療装置のナーステーブルにおいてはインスツルメントホルダーが設けられている。
【先行技術文献】
【特許文献】
【０００３】
【特許文献１】特開平９−５１９０４号公報
【発明の概要】
【発明が解決しようとする課題】
【０００４】
しかし、インスツルメントホルダーを清掃する時は、そのインスツルメントホルダーに挿入・保持されている歯科治療用インスツルメント（以下単に「インスツルメント」という）を取り出すことが必要である。
そして、従来のナーステーブルにおいては、その取り出したインスツルメントをナーステーブルの上や歯科治療装置の歯科治療椅子の上等に置いて、インスツルメントホルダーを清掃しているため、その清掃時に前記インスツルメントが落下することがあった。
【０００５】
本発明では、ナーステーブルの下面にインスツルメントのチューブ保持具を設け、インスツルメントホルダーを清掃する時取り外したインスツルメントのチューブを前記チューブ保持具に一時的に掛止して、前記インスツルメントの落下を防ぐとともに、着脱可能なインスツルメントホルダーを備えることにより、清掃作業の効率を向上させる歯科治療装置のナーステーブルを提供する。
【課題を解決するための手段】
【０００６】
上記に鑑み本発明者等は鋭意実験研究の結果下記の手段により課題を解決した。
（１）歯科治療装置におけるナーステーブルであって、ナーステーブルの下面にインスツルメントのチューブ保持具を設けたことを特徴とする歯科治療装置におけるナーステーブル。
（２）前記ナーステーブルにカバーの先端にインスツルメント保持用窪み部を有するインスツルメントホルダーが着脱可能に設けてなることを特徴とする前項１に記載の歯科治療装置におけるナーステーブル。
（３）ユニット本体の下部に設けられた空間部に水平方向に回動自在に取付られた回動アームと、該回動アームに立設して取り付けられたアームと、該アームの先端に設けられたナーステーブルとからなることを特徴とする前項（１）又は（２）に記載の歯科治療装置におけるナーステーブル。
（４）前記アームが関節部により回動可能に回動アームに取り付けられていることを特徴とする前項（１）〜（３）のいずれか１項に記載された歯科治療装置におけるナーステーブル。
【発明の効果】
【０００７】
（１）の発明によれば、
歯科治療装置におけるナーステーブルであって、ナーステーブルの下面にインスツルメントのチューブ保持具を設けたので、
インスツルメントホルダーを掃除する際、取り外したインスツルメントのチューブをチューブ保持具に掛けることでインスツルメントの落下を防ぐことができ、清掃作業の効率を向上することができる。
また、メンテナンスで、サクションタンクや排水トラップの着脱等の際、インスツルメントのチューブを掛かけておくこともでき、作業の邪魔にならず作業効率を向上することができる。
（２）の発明によれば、
前記ナーステーブルに着脱可能なインスツルメントホルダーを設けたので、インスツルメントホルダーを取り外して清掃できるので、清掃作業の効率を向上することができる。
（３）の発明によれば、
ユニット本体の下部に設けられた空間部に水平方向に回動自在に取付られた回動アームと、該回動アームに立設して取り付けられたアームと、該アームの先端に設けられたナーステーブルとからなるので、ナーステーブルをユニット本体に対して左側（歯科治療椅子から離れる方向）に回動することにより、ユニット本体前面（歯科治療椅子の患者の頭置部方向）のスペースを広くすることができ、使用者の治療効率、及びユニット本体前面で行なう排水トラップやサクションタンクの清掃の効率を向上することができる。
（４）の発明によれば、
前記アームが関節部により回動可能に回動アームに取り付けられているので、ナーステーブルを後方に起立されられるので、ユニット本体左側のスペースが狭くても、ナーステーブルを左側に回動し、治療や清掃作業等ができる。
【図面の簡単な説明】
【０００８】
【図１】ユニット本体とナーステーブルの関係を表す外観斜視図
【図２】インスツルメントホルダーを装着した状態のナーステーブルの外観斜視図
【図３】インスツルメントホルダーを取り外した状態のナーステーブルの外観斜視図
【図４】インスツルメントのチューブ保持具を備えたナーステーブルを下から見た斜視図
【図５】インスツルメントのチューブ保持具にインスツルメントのチューブを掛止した状態を表す模式図
【発明を実施するための形態】
【０００９】
発明を実施するための最良の形態を以下に説明する。
図１は、ユニット本体とナーステーブルの関係を表す外観斜視図である。
図１の(ａ)は、ユニット本体とナーステーブルの関係を表す外観斜視図でナーステーブル２がユニット本体１の近くでユニット本体１の略正面の位置にある。
図において、１はユニット本体、２はナーステーブル、３は回動アーム、４は回動部、５は下部の関節部、６はアーム、７は上部の関節部、８はユニット本体の前部、９は点検扉を示す。
上記のように、回動アーム３は後端に設けた回動部４がユニット本体１の点検扉９の下部に設けられた空間部１ａに回動自在に取付られているので、回動アーム３、アーム６を介してナーステーブル２は左右方向に回動することができる。
また、ナーステーブル２は、アーム６が傾斜した際に平行状態を保つことができるようにアーム６の先端に設けられた関節部７に接続されている。さらに、アーム６と回動アーム３とは、アーム６の後端と回動アーム３の先端とが関節部５により前後方向に回動可能に接続されているのでナーステーブル２をユニット本体１に対して前後方向に回動し所定角度に保持することができる。
図において、図１の（ｂ）は、アーム６と上部の関節部７との関係を示す。
【００１０】
図１の（ｃ）は、ユニット本体とナーステーブルの関係を表す外観斜視図でナーステーブル２がユニット本体１から遠くでユニット本体１の左側（歯科治療椅子から離れる方向）の位置にある。
図１の（ｄ）に示すように上部の関節部７を介して、ナーステーブル２を水平に保持している。
上記のように、ナーステーブル２は、関節部５を中心にアーム６を前傾させて、ユニット本体１から遠くの位置にある。
また、アーム回動部４を支点として回動アーム３、アーム６を介してユニット本体１の左側（歯科治療椅子から離れる方向）に所定角度開かれているので、ナーステーブル２と歯科治療椅子との間のスペースを拡大している、これにより使用者の治療及び清掃等の作業効率を向上することができる。
【００１１】
図２はホルダーカバーを装着した状態のナーステーブルの外観斜視図である。
図において、１０はインスツルメントホルダーでカバー１０’とカバーの先端に設けられたインスツルメント保持用窪み部１１とからなり、インスツルメント（図示せず）を挿入・保持するものである。
図３はインスツルメントホルダーを取り外した状態のナーステーブルの外観斜視図である。
図において、１２はインスツルメントホルダーの取着部を示す。このようにインスツルメントホルダー１０は着脱可能なので、清掃作業が容易である。
図４は、ナーステーブルの下から見た斜視図である。
図において、１３はナーステーブルの下面、１４はインスツルメントのチューブ保持具である。
図５はインスツルメントのチューブ保持具にインスツルメントのチューブを掛止した状態を表す模式図である。
図において、１５はスリーウェイシリンジ、１６はサクションシリンジ、１７はサライバエジェクター、１８は各インスツルメントに接続されたチューブである。
なお、１９はインスツルメントに接続されたチューブがユニット本体へ接続されることを表す。
上記のように、ナーステーブルの下面１３にインスツルメントのチューブ保持具１４を設けているので、インスツルメントホルダー１０やインスツルメント保持用窪み部１１を掃除する時は、インスツルメント保持用窪み部１１から、インスツルメント（図示せず）を取り出し、インスツルメントに接続されているチューブを前記インスツルメントのチューブ保持具１４に引っかけて保持できる。
この状態で、インスツルメントホルダー１０を取り外して清掃すればインスツルメントの落下を防ぐことができ、清掃作業の効率を向上させることができる。
また、メンテナンスで、ユニット本体の点検扉を開いて中にあるサクションタンクや排水トラップの着脱等を行う際、インスツルメントのチューブを掛かけておくこともでき、作業の邪魔にならず作業効率を向上することができる。
なお、本実施例においては、インスツルメントのチューブ保持具１４は円形棒状の素材をＬ字型に曲げて構成しているがこれに限定されるものではなく、インスルメンに接続されているチューブを引っかけて保持できるものであれば、四角形や六角形の棒状の素材、横Ｌ字状の平板等で構成しても良い。
【符号の説明】
【００１２】
１：ユニット本体
２：ナーステーブル
３：回動アーム
４：回動部
５：下部の関節部
６；アーム
７：上部の関節部
８：ユニット本体の前部
９：点検扉
１０：インスツルメントホルダー
１０’：カバー
１１：インスツルメント保持用窪み部
１２：インスツルメントホルダーの取着部
１３：テーブルの下面
１４：インスツルメントのチューブ保持具
１５：スリーウェイシリンジ
１６：サクションシリンジ
１７：サライバエジェクター
１８：各インスツルメントに接続されたチューブ
【図１】
2014140540.tif 000003
【図２】
2014140540.tif 000004
【図３】
2014140540.tif 000005
【図４】
2014140540.tif 000006
【図５】
2014140540.tif 000007